(57)【特許請求の範囲】
【請求項１】
親機と少なくとも第１子機と第２子機の２つの子機とからなる電話装置であり、
上記子機は、送信する氏名データがかなデータ又は漢字データであることを示す情報と該情報に対応するデータとを格納する子機電話帳メモリと、上記親機との間で電話帳データを送受信する子機送受信手段と、制御手段と、を有し、
上記親機は、上記子機との間で電話帳データを送受信する親機送受信手段と、制御手段と、前記第１子機から前記第２子機へ転送する電話帳データを一時的に格納する為の親機格納手段及び親機電話帳メモリと、を有し、
上記親機の制御手段は、前記第１子機から親機を介して前記第２子機へ電話帳データを転送する際には、送受信手段が上記第１子機から受信した電話帳データを、上記情報を参照せずに親機格納手段に格納し、子機から送信された電話帳データを親機電話帳メモリに格納する際には、上記情報を参照して、送受信手段が上記第１子機から受信した電話帳データを上記親機電話帳メモリに格納することを特徴とする電話装置。
【発明の詳細な説明】
【０００１】
【発明の属する技術分野】
本発明は、特に電話帳機能を有する電話装置に関する。
【０００２】
【従来の技術】
コードレス電話等の電話装置において、子機又は親機のメモリに相手側の電話番号と氏名を複数格納した、所謂電話帳機能を有するものがある。
【０００３】
この電話帳機能では、ユーザは、メモリに格納されている相手側の電話番号（或いは、氏名）を表示部に複数同時に（或いは、切替）表示させ、所望の相手側を選択した後に発呼操作を行うだけで、容易に相手側へ発呼ができる為、電話番号の入力が不要である。
【０００４】
又、コードレス電話では、親機又は子機のメモリに格納されている電話帳データを他の子機又は親機に転送する機能を有するものもある。例えば、一方の子機から他方の子機へ電話帳データを転送する場合には、一方の子機の電話帳メモリに格納されている電話帳データを親機の電話帳メモリに転送し、一方の子機と親機との無線接続を断とした後、親機の電話帳メモリに格納した電話帳データを他方の子機へ送信し、他方の子機が受信した電話帳データを電話帳メモリに格納することにより電話帳データを転送することができる。
【０００５】
尚、現在のコードレス電話の仕様では、子機同士で無線接続することはできない。従って、子機同士を直接無線接続し、子機間で電話帳データを転送することはできない。
【０００６】
【発明が解決しようとする課題】
このように、親機の電話帳メモリに子機からの電話帳データを一旦格納し、電話帳データを転送可能なコードレス電話では、以下の問題点が挙げられる。先ず、１台の親機と複数の子機（例えば、子機Ａ、子機Ｂとする）からなるコードレス電話において、親機を介して子機Ａから子機Ｂへ電話帳データを送信する場合、子機Ａ、Ｂの電話帳メモリはかな文字と漢字が格納可能であるのに対し、親機の電話帳メモリはかな文字しか格納できない場合には、子機Ａから親機にかな文字と漢字文字からなる電話帳データが送信されても、親機は電話帳データのかな文字部分しか受信することができない。従って、子機Ａからかな文字と漢字文字からなる電話帳データが送信されても、子機Ｂはかな文字からなる電話帳データしか受信できない。このような問題は、例えば、今までかな文字しか格納できない親機と子機を使用し、新たに、かな文字と漢字のデータを格納可能な増設子機を増設し、一方の子機から他方の子機へ電話帳データを転送する場合に生じる。
【０００７】
又、例えば、親機は５０件しか相手側の電話番号を登録できないのに対し、子機Ａ、Ｂでは１００件の相手側の電話番号が登録できる場合には、子機Ａから親機に１００件分の電話帳データが送信されても親機は子機Ａからの電話帳データの内５０件しか格納することができず、その結果、子機Ａから子機Ｂへは５０件分のデータしか送信されないこととなる。
【０００８】
【課題を解決するための手段】
本発明はこのような課題を解決する為のものであり、 親機と少なくとも第１子機と第２子機の２つの子機とからなる電話装置であり、上記子機は、送信する氏名データがかなデータ又は漢字データであることを示す情報と該情報に対応するデータとを格納する子機電話帳メモリと、上記親機との間で電話帳データを送受信する子機送受信手段と、制御手段と、を有し、上記親機は、上記子機との間で電話帳データを送受信する親機送受信手段と、制御手段と、前記第１子機から前記第２子機へ転送する電話帳データを一時的に格納する為の親機格納手段及び親機電話帳メモリと、を有し、上記親機の制御手段は、前記第１子機から親機を介して前記第２子機へ電話帳データを転送する際には、送受信手段が上記第１子機から受信した電話帳データを、上記情報を参照せずに親機格納手段に格納し、子機から送信された電話帳データを親機電話帳メモリに格納する際には、上記情報を参照して、送受信手段が上記第１子機から受信した電話帳データを上記親機電話帳メモリに格納することを特徴とする。
【００１１】
【発明の実施の形態】
図１は、本実施例装置の構成を示す外観斜視図である。
【００１２】
図１において、本実施例装置は１台の親機１００と複数の子機（例えば、子機Ａ、子機Ｂ）とからなり、第１実施例装置では、子機Ａのメモリに格納されている電話帳データを親機１００に送信し、親機１００に設けられた電話帳データ転送用の専用メモリに上記電話帳データを一旦格納する。続いて、子機Ｂから電話帳データの転送指示があれば、親機１００のメモリに格納された上記電話帳データを上記子機Ｂに送信するものである。
【００１３】
また、第２実施例装置では、親機１００には２つのチューナが搭載されており、子機Ａからの電話帳データを親機１００の２つのチューナを介して子機Ｂへ送信するものである。
【００１４】
図２は、本発明を適用してなる第１実施例装置であるコードレス電話装置の親機１００ブロック図である。
【００１５】
制御部１１０は、例えばＲＯＭ（Ｒｅａｄ  Ｏｎｌｙ  Ｍｅｍｏｒｙ）からなる第１格納部１２０に格納されているシステムプログラムに基づいて以下で説明する各回路の制御を司る。
【００１６】
ＮＣＵ（Ｎｅｔｗｏｒｋ  Ｃｏｎｔｒｏｌ  Ｕｎｉｔ）１３０は、回線の閉結、開放を行う。
【００１７】
アンテナ１４０と接続された無線部１５０は、子機Ａ、Ｂとの間で無線信号の送受信を行う。
【００１８】
スピーチネットワーク回路１６０は、上述したＮＣＵ１３０、無線部１５０、ハンドセット１７０との間での音声信号の入出力切替を行う。
【００１９】
入力部１８０は、テンキー、保留キー、機能キー等からなり、例えば、電話番号の入力時や相手側の氏名の入力時等に使用される。
【００２０】
第２格納部１９０は、例えばＳＲＡＭ（Ｓｔａｔｉｃ  Ｒａｎｄｕｍ  Ａｃｃｅｓｓ  Ｍｅｍｏｒｙ）からなり、上記無線部１５０が受信した子機Ａ、Ｂからの電話帳データ（例えば、かな文字と漢字からなる相手側氏名と電話番号の対を複数件）を一旦格納する。又、上記第２格納部１９０の格納形態としては、例えば、かな文字か漢字文字かを示すヘッダと該ヘッダに続く相手側氏名のデータが格納される。
【００２１】
表示部２００は、電話番号や、かな文字と漢字からなる相手側の氏名を表示する。
次に、子機Ａ、Ｂの回路構成について説明する。
【００２２】
図３は、第１実施例装置であるコードレス電話装置の子機Ａ、Ｂのブロック図である。
【００２３】
制御部３００は、例えばＲＯＭ（Ｒｅａｄ  Ｏｎｌｙ  Ｍｅｍｏｒｙ）からなる第１格納部３１０に格納されているシステムプログラムに基づいて以下で説明する各回路の制御を司る。
【００２４】
アンテナ３２０と接続された無線部３３０は、親機１００との間で無線信号の送受信を行う。
【００２５】
スピーチネットワーク回路３４０は、上述した無線部３２０とハンドセット３５０との間での音声信号の入出力の切替を行う。
【００２６】
入力部３６０は、テンキー、保留キー、機能キー、電話帳データを転送指示する為のキー等からなり、例えば、電話番号の入力時や相手側の氏名の入力時、電話帳データを転送する際等に使用される。
【００２７】
第２格納部３７０は、例えばＳＲＡＭ（Ｓｔａｔｉｃ  Ｒａｎｄｕｍ  Ａｃｃｅｓｓ  Ｍｅｍｏｒｙ）からなり、上記無線部３３０が受信した電話帳データ（例えば、かな文字と漢字からなる相手側氏名と電話番号の対を複数件）や、上記入力部３６０から入力された電話帳データを格納する。
【００２８】
表示部３８０は、電話番号や、かな文字と漢字からなる相手側の氏名を表示する。
【００２９】
次に、第１実施例装置の動作について以下に説明する。
【００３０】
図４及び図５は、第１実施例装置の動作シーケンス図である。
【００３１】
図４において、まず、子機Ａのユーザが入力部３６０を操作することにより、子機Ｂへ転送する電話帳データを選択する。尚、ここで、ユーザは第２格納部３７０に格納されている電話帳データを一括して送信するよう選択することも可能である。
【００３２】
Ｓ１ステップにおいて、子機Ａの制御部３００が、入力部３６０から電話帳データ転送の開始を示すキー入力を検出すると、無線部３３０を制御することにより、制御チャンネル上で、電話帳転送要求信号を親機１００へ送信させる。
【００３３】
これに対し、親機１００の制御部１１０は、無線部１５０を制御することにより、通話チャンネルの空きチャンネルをサーチさせた後に、信号を正常に受信したことを示すＡＣＫ（Ａｃｋｎｏｗｌｅｄｇｅｍｅｎｔ）信号を子機Ａに送信させる。
【００３４】
尚、上記ＡＣＫ信号には移行する先の通話チャンネル情報が含まれているので、その後の親機１００と子機Ａの無線信号の送受信は通話チャンネル上で行われる。
【００３５】
Ｓ２ステップにおいて、親機１００の制御部が、無線部１５０を制御することにより、転送開始を示す信号を子機Ａに送信させ、子機Ａの制御部３００は、無線部３３０を制御することにより、ＡＣＫを親機１００に送信させる。
【００３６】
Ｓ３ステップにおいて、子機Ａの制御部３００が、無線部３３０を制御することにより、転送件数を示すデータを親機１００に送信させ、親機１００の制御部１１０は、無線部１５０を制御することにより、ＡＣＫを子機Ａに送信させる。
【００３７】
以下、Ｓ４〜Ｓ６ステップにおいて電話帳データの転送が行われる。
【００３８】
Ｓ４ステップにおいて、子機Ａの制御部３００は、無線部３３０を制御することにより、第２格納部３７０に格納されている電話番号データを親機１００に送信させる。これに対し、親機１００の制御部１１０は、受信した電話番号データを第２格納部１９０に格納すると共に、無線部１５０を制御することにより、受信した電話番号データと同じ電話番号データを子機Ａに返信する。子機Ａの制御部３００は、親機１００から送信された電話番号データと送信した電話番号データの比較を行い、一致すれば正常にデータが送信されたと判断して次のステップに進むが、一致しない場合には、再度電話番号データを送信させる。
【００３９】
尚、電話番号データの再送信に失敗した場合、子機Ａ、Ｂの制御部３００は、表示部３８０に例えば“転送エラー”と表示させることにより、転送を失敗した旨をユーザに報知する。
【００４０】
Ｓ５ステップでは、子機Ａの制御部３００は、無線部３３０を制御することにより、第２格納部３７０に格納されているかなデータのヘッダにかなデータであることを示す情報を付して、かなデータを親機１００に送信させる。これに対し、親機１００の制御部１１０は、受信したかなデータを、ヘッダを参照せずにそのまま第２格納部１９０に格納すると共に、無線部１５０を制御することにより、受信したかなデータと同じかなデータを子機Ａに返信する。子機Ａの制御部３００は、親機１００から送信されたかなデータと送信したかなデータの比較を行い、一致すれば正常にデータが送信されたと判断して次のステップに進むが、一致しない場合には、再度かなデータを送信させる。
【００４１】
Ｓ６ステップでは、上記Ｓ５ステップと同様にして、漢字データが子機Ａから親機１００へ送信される。
【００４２】
尚、上記Ｓ４〜Ｓ６ステップを一回行う毎に、一件分の電話帳データが子機Ａから親機１００へ送信され、親機１００の第２格納部１９０に電話帳データが一旦格納されることとなる。この為、転送される電話帳データが複数件分存在する場合には、件数分だけ上記Ｓ４〜Ｓ６ステップを繰り返し処理することとなる。
【００４３】
又、上記Ｓ５〜Ｓ６ステップにおいて、かなデータ及び漢字データのヘッダにかなデータ又は漢字データであることを示すデータが付されて送信されるが、親機１００の制御部１１０は、本実施例の如く第２格納部１９０に電話帳データを格納する場合には、上記かなデータ及び漢字データのヘッダを参照せずに、そのまま受信したかなデータ及び漢字データを上記第２格納部１９０に格納するが、親機１００が、第２格納部１９０の他に電話帳データを格納する為の電話帳メモリ（図示せず）を有する場合には、親機１００の制御部１１０は、子機Ａから送信されたかなデータ又は漢字データのヘッダを参照し、参照したヘッダからかなデータであるか漢字データであるかを判定し、この判定に応じて受信したデータを電話帳メモリのかなデータを格納する領域或いは漢字データを格納する領域に格納する。
【００４４】
子機Ａから転送する電話帳データがなくなれば、続くＳ７ステップにおいて、子機Ａの制御部３００が無線部３３０を制御することにより、転送終了を示すデータを親機１００に送信させ、これに対し、親機１００の制御部１１０は、無線部１５０を制御することによりＡＣＫ信号を子機Ａに送信させる。
【００４５】
続いて、親機１００の第２格納部１９０に一旦格納された電話帳データを子機Ｂに送信する手順を以下に説明する。
【００４６】
図５のＳ８ステップにおいて、子機Ｂの制御部１１０が、入力部１８０から電話帳データ転送の開始を示すキー入力を検出すると、無線部１５０を制御することにより、制御チャンネル上で、電話帳転送要求信号を親機１００へ送信させる。
【００４７】
これに対し、親機１００の制御部１１０は、無線部１５０を制御することにより、通話チャンネルの空きチャンネルをサーチさせた後に、信号を正常に受信したことを示すＡＣＫ（Ａｃｋｎｏｗｌｅｄｇｅｍｅｎｔ）信号を子機Ｂに送信させる。
【００４８】
尚、上記ＡＣＫ信号には移行する先の通話チャンネル情報が含まれているので、その後の親機１００と子機Ａの無線信号の送受信は通話チャンネル上で行われる。
【００４９】
Ｓ９ステップにおいて、親機１００の制御部１１０が、無線部１５０を制御することにより、転送開始を示す信号を子機Ａに送信させ、子機Ｂの制御部３００は、無線部３３０を制御することにより、ＡＣＫを親機１００に送信させる。
【００５０】
Ｓ１０ステップにおいて、親機１００の制御部１１０が、無線部１５０を制御することにより、転送件数を示すデータを子機Ｂに送信させ、子機Ｂの制御部３００は、無線部３３０を制御することにより、ＡＣＫを親機１００に送信させる。
【００５１】
以下、Ｓ１１〜Ｓ１３ステップにおいて電話帳データの転送が行われる。
【００５２】
Ｓ１１ステップにおいて、親機１００の制御部１１０は、無線部１５０を制御することにより、第２格納部１９０に格納されている電話番号データを子機Ａに送信させる。これに対し、子機Ａの制御部３００は、受信した電話番号データを第２格納部３７０に格納すると共に、無線部３３０を制御することにより、受信した電話番号データを親機１００に返答する。親機１００の制御部１１０は、子機Ｂから送信された電話番号データと送信した電話番号データの比較を行い、一致すれば正常にデータが送信されたと判断して次のステップに進むが、一致しない場合には、再度電話番号データを送信させる。
【００５３】
尚、電話番号データの再送信に失敗した場合、子機Ａ、Ｂの制御部３００は、表示部３８０に例えば“転送エラー”と表示させることにより、転送を失敗した旨をユーザに報知する。
【００５４】
Ｓ１２ステップでは、親機１００の制御部１１０は、無線部１５０を制御することにより、第２格納部１９０に格納されているかなデータを子機Ｂに送信させる。これに対し、子機Ｂの制御部３３０は、受信したかなデータを第２格納部３７０に格納すると共に、無線部３３０を制御することにより、受信したかなデータと同じかなデータを親機１００に返信する。親機１００の制御部１１０は、子機Ｂから送信されたかなデータと送信したかなデータの比較を行い、一致すれば正常にデータが送信されたと判断して次のステップに進むが、一致しない場合には、再度かなデータを送信させる。
【００５５】
Ｓ１３ステップでは、上記Ｓ１２ステップと同様にして、漢字データが親機１００から子機Ｂへ送信される。
【００５６】
尚、上記Ｓ１１〜Ｓ１３ステップを一回行う毎に、一件分の電話帳データが親機１００から子機Ｂへ送信され、子機Ｂの第２格納部３７０に電話帳データが格納されることとなる。この為、転送される電話帳データが複数件分存在する場合には、件数分だけ上記Ｓ１１〜Ｓ１３ステップを繰り返し処理することとなる。
【００５７】
親機１００から転送する電話帳データがなくなれば、続くＳ１４ステップにおいて、親機１００の制御部１１０が無線部１５０を制御することにより、転送終了を示すデータを子機Ｂに送信させ、これに対し、子機Ｂの制御部３００は、無線部３３０を制御することによりＡＣＫ信号を親機１００に送信させる。
【００５８】
このような手順により、子機Ａからの電話帳データが親機１００へ転送され、子機Ｂからの電話帳データの転送要求に応じて、親機１００から子機Ｂへ電話帳データが転送される。
【００５９】
第１実施例装置では、親機１００に搭載された電話帳データ転送用メモリである第２格納部１９０に、子機Ａからの電話帳データが一旦格納された後に親機１００から子機Ｂへ電話帳データが送信される為、子機Ａにはかな文字と漢字の電話帳データが格納可能であるのに対し、親機１００にはかな文字の電話帳データのみ格納可能である場合、子機Ａから送られた電話帳データが親機１００の電話帳メモリに格納された際に、かな文字の電話帳データのみ親機１００の電話帳メモリに格納され、その結果親機１００から子機Ｂへはかな文字のみの電話帳データが送信されるといった問題が生じることがない。このように、第１実施例装置では、子機Ａ、Ｂと親機１００夫々に格納可能な電話帳データの形式（かな文字や漢字）が異なっていても、子機Ａから子機Ｂに電話帳データを転送することが可能である。
【００６０】
尚、親機１００に親機用電話帳データを格納する第３格納部を別途備えても良いし、第２格納部１９０のメモリエリアを子機Ａ、Ｂの転送用電話帳データエリアと親機用電話帳データエリアに分割しても良い。
【００６１】
次に、本発明を適用してなる第２実施例装置について以下に説明する。
【００６２】
第２実施例装置では、親機１００に第２格納部１９０を格納する代わりに無線部を２つ設け、子機Ａからの電話帳データをそのまま子機Ｂへ送信する構成としている。
【００６３】
図６は、第２実施例装置の親機１００のブロック図である。
【００６４】
第２実施例装置の親機１００と第１実施例装置の親機１００と異なる点は、第１実施例装置の親機１００は無線部を１つ有しているのに対し、第２実施例装置の親機１００は無線部を２つ有していると共に第２格納部１９０を有さないことにある。
【００６５】
図６において、第１無線部４００と第２無線部４１０は、夫々子機Ａ、Ｂと接続可能である。又、上記第１無線部４００が子機Ａと接続すると共に上記第２無線部４１０が子機Ｂと接続することにより、子機Ａと子機Ｂとの間で全二重通信方式による子機間通話を行うことが可能である。
【００６６】
尚、子機Ａ、子機Ｂは第１実施例装置と同様の回路構成である為、説明を省略する。
【００６７】
次に、第２実施例装置の動作について以下に説明する。
【００６８】
図７は、第２実施例装置の動作を示すシーケンス図である。
【００６９】
Ｓ２０ステップにおいて、子機Ａの制御部３００が、入力部３６０から電話帳データ転送の開始を示すキー入力を検出すると、無線部３３０を制御することにより、制御チャンネル上で、電話帳転送要求信号を親機１００へ送信させる。
【００７０】
これに対し、親機１００の制御部１１０は、第１無線部４００を制御することにより、通話チャンネルの空きチャンネルをサーチさせた後に、信号を正常に受信したことを示すＡＣＫ（Ａｃｋｎｏｗｌｅｄｇｅｍｅｎｔ）信号を子機Ａに送信させる。
【００７１】
尚、上記ＡＣＫ信号には移行する先の通話チャンネル情報が含まれているので、その後の親機１００と子機Ａの無線信号の送受信は通話チャンネル上で行われる。
【００７２】
Ｓ２１ステップにおいて、親機１００の制御部１１０が、無線部１５０を制御することにより、制御チャンネル上で、電話帳転送要求信号を子機Ｂへ送信させる。
【００７３】
これに対し、子機Ｂの制御部１１０は、第１無線部１５０を制御することにより、通話チャンネルの空きチャンネルをサーチさせた後に、信号を正常に受信したことを示すＡＣＫ（Ａｃｋｎｏｗｌｅｄｇｅｍｅｎｔ）信号を親機に送信させる。
【００７４】
尚、上記ＡＣＫ信号には移行する先の通話チャンネル情報が含まれているので、その後の親機１００と子機Ｂの無線信号の送受信は通話チャンネル上で行われる。
【００７５】
Ｓ２２ステップにおいて、親機１００の制御部１１０が、第１無線部４００を制御することにより、転送開始を示す信号を子機Ａに送信させ、子機Ａの制御部３００は、無線部３３０を制御することにより、ＡＣＫを親機１００に送信させる。
【００７６】
Ｓ２３ステップにおいて、親機１００の制御部１１０が、第２無線部４１０を制御することにより、転送開始を示す信号を子機Ｂに送信させ、子機Ｂの制御部３００は、無線部３３０を制御することにより、ＡＣＫを親機１００に送信させる。
【００７７】
Ｓ２４ステップにおいて、子機Ａの制御部３００が、無線部３３０を制御することにより、転送件数を示すデータを親機１００に送信させ、親機１００の制御部１１０は、第１無線部４００を制御することにより、ＡＣＫを子機Ａに送信させる。
【００７８】
Ｓ２５ステップでは、親機１００の制御部１１０が、第２無線部４１０を制御することにより、転送件数を示すデータを子機Ｂに送信させ、子機Ｂの制御部３００は、無線部３３０を制御することにより、ＡＣＫを親機１００に送信させる。
【００７９】
以下、Ｓ２６〜Ｓ２８ステップにおいて電話帳データの転送が行われる。
【００８０】
Ｓ２６ステップにおいて、子機Ａの制御部３００は、無線部３３０を制御することにより、第２格納部３７０に格納されている電話番号データを親機１００に送信させる。これに対し、親機１００の制御部１１０は、子機Ａからの電話番号データを第１無線部４００にて受信すると共に、上記第１無線部４００にて受信された電話番号データを第２無線部４１０から子機Ｂへ送信する。続いて、子機Ｂの制御部３００は、無線部３３０を制御することにより、受信した電話番号データを第２格納部３７０へと格納すると共に、受信した電話番号データと同一の電話番号データを親機１００へ送信し、親機１００の制御部１１０は、子機Ｂからの電話番号データを第２無線部４１０で受信すると共に第１無線部４００から子機Ａへ送信する。
【００８１】
子機Ａは、親機１００を介して子機Ｂから受信した電話番号データと送信した電話番号データの比較を行い、一致すれば正常にデータが送信されたと判断して次のステップに進むが、一致しない場合には、再度電話番号データを送信させる。
【００８２】
尚、電話番号データの再送信に失敗した場合、子機Ａ、Ｂの制御部３００は、表示部３８０に例えば“転送エラー”と表示させることにより、転送を失敗した旨をユーザに報知する。
【００８３】
Ｓ２７ステップでは、上記Ｓ２６ステップと同様にしてかなデータが子機Ａから子機Ｂへ送信される。
【００８４】
Ｓ２８ステップでは、上記Ｓ２６及びＳ２７ステップと同様にして、漢字データが子機Ａから子機Ｂへ送信される。
【００８５】
尚、上記Ｓ２６〜Ｓ８ステップを一回行う毎に、一件分の電話帳データが子機Ａから子機Ｂへ送信され、子機Ｂの第２格納部３７０に電話帳データが格納されることとなる。この為、転送される電話帳データが複数件分存在する場合には、件数分だけ上記Ｓ２６〜Ｓ２８ステップを繰り返し処理することとなる。
【００８６】
子機Ａから転送する電話帳データがなくなれば、続くＳ２９ステップにおいて、子機Ａの制御部３００が無線部３３０を制御することにより、転送終了を示すデータを親機１００に送信させ、親機１００の制御部１１０は、第１無線部４００を制御することによりＡＣＫを子機Ａへ送信すると共に第２無線部４１０を制御することにより転送終了を示す信号を子機Ｂへ送信する。これに対し、子機Ｂの制御部３００が、無線部３３０を制御することにより子機Ｂから親機１００へＡＣＫが送信されることにより、子機Ａから子機Ｂへの電話帳データの転送が終了する。
【００８７】
このように、第２実施例装置では、子機Ａからの電話帳データを一旦親機１００に格納しなくとも、子機Ａから子機Ｂへ転送可能である。この為、子機間通話可能な電話装置においては、別途高価なメモリを設けなくとも良い。
【００８８】
又、第２実施例装置では、親機１００に電話帳機能がない場合、即ち、電話帳データを格納する為のメモリを有していない場合でも、子機Ａから子機Ｂへ電話帳データを転送することが可能である。
【００８９】
以上説明したように、本実施例装置では、子機と親機１００夫々に格納可能な電話帳データの形式（かな文字や漢字）が異なっている場合や、親機１００に電話帳データを格納する為のメモリを搭載していない場合でも、子機Ａから子機Ｂに電話帳データを転送することが可能である。
【００９０】
尚、本実施例では、子機Ａからの電話帳データを電話帳データ転送要求のあった子機Ｂへのみ転送する場合を説明したが、子機Ａからの電話帳データを自動的に複数の子機へ順次転送するように構成しても良い。例えば、子機Ａからの電話帳データを親機１００の第２格納部に一旦格納し、親機１００が他の子機へ順に無線接続し、親機１００が無線接続した他の子機の順に電話帳データを送信することも可能である。
【００９１】
更に、本実施例では、子機Ａ、Ｂから親機１００へ、かなデータであるか或いは漢字データであるかを示すヘッダを、かなデータ或いは漢字データの先頭に付して送信する。親機１００側は、受信した電話帳データを第２格納部に一旦格納し、他の子機Ａ、Ｂへ送信する場合には上記ヘッダを参照せず、一方、受信した電話帳データを親機１００の電話帳メモリ（図示せず）に格納する場合には、上記ヘッダを参照し、かなデータ或いは漢字データを電話帳メモリのどの領域に格納すれば良いかを判定可能である為、親機１００を介して子機Ａ、Ｂ間で電話帳データを転送可能であることは勿論のこと、子機Ａ、Ｂから親機１００の電話帳メモリへ電話帳データを転送することも可能である。
【００９２】
又、本実施例では、アナログ式のコードレス電話装置について実施したが、ＰＨＳを子機として親機１００に接続可能なデジタルコードレス電話等、親機１００と複数の子機とからなる電話装置であれば、本発明を適用して実施可能である。
【００９３】
【発明の効果】
本発明では、データの格納形態の異なる親機と子機とからなる電話装置において、親機を介して子機間で電話帳データを転送可能である。
【図面の簡単な説明】
【図１】本発明を適用してなる実施例装置の外観斜視図である。
【図２】第１実施例装置の親機１００のブロック図である。
【図３】本実施例装置の子機Ａ、Ｂのブロック図である。
【図４】第１実施例装置の動作を示すシーケンス図である。
【図５】第１実施例装置の動作を示すシーケンス図である。
【図６】第２実施例装置の親機１００のブロック図である。
【図７】第２実施例装置の動作を示すシーケンス図である。
【符号の説明】
１００  親機
１１０  制御部
１５０  無線部
１９０  第２格納部
３００  制御部
３３０  無線部
３７０  第２格納部
４００  第１無線部
４１０  第２無線部
【図１】
0003711088.tif 000002
【図２】
0003711088.tif 000003
【図３】
0003711088.tif 000004
【図４】
0003711088.tif 000005
【図５】
0003711088.tif 000006
【図６】
0003711088.tif 000007
【図７】
0003711088.tif 000008